(57)【要約】【課題】傘袋の紛失を防止し、かつ使い勝手の良い傘の柄および当該柄を備える傘を提供する。【解決手段】傘１が備える柄１１は中空であり、折り畳んだ傘袋１５をその内部に収容可能となっている。柄１１の内部には紐巻取り部１２が配置されており、紐１３の一端が紐巻取り部１２に取り付けられ、他端は取り付け具１４を介して傘袋１５に取り付けられている。ユーザは紐１３を適当な長さだけ引き出してフレーム部１６および雨受け部１７に対し傘袋１５の着脱を行うことができる。ユーザの傘袋１５の着脱作業が終わると、紐１３は紐巻取り部１２の紐１３に対する付勢に従い自動的に巻き取られる。このように傘１においては傘袋１５が常に紐１３により傘１の本体に連結されているため、傘袋１５の紛失が防止されると同時に、紐１３の長さが自由に調整可能であるため、傘袋１５の着脱に特段の不自由が伴わない。【選択図】図１
2011115348.tif 000002
【特許請求の範囲】
【請求項１】
中空の柄と、
前記柄の内部に配置される紐巻取り部と、
前記紐巻取り部に一端が取り付けられており、前記紐巻取り部によって巻き取られ、かつ前記紐巻取り部から引き出されることが可能な紐であって、前記紐巻取り部に取り付けられる側とは異なる側の一端が傘袋に取り付けられる紐と
を備え、
前記柄は、前記柄の内部に傘袋を出し入れするための開閉可能な蓋を有する
傘袋収納ケース付きの傘の柄。
【請求項２】
前記紐巻き取り部は、前記紐に対し巻き取る向きに常に付勢している
請求項１に記載の傘の柄。
【請求項３】
前記紐巻き取り部は、前記紐が引き出されている状態においてユーザによる所定の操作をトリガとして前記紐に対し巻き取る向きに付勢を開始する
請求項１に記載の傘の柄。
【請求項４】
前記蓋は、開く向きに常に付勢されており、
前記蓋は、閉められた状態において前記蓋の一部と前記柄の本体の一部との係合により前記柄の本体に固定され、
前記蓋が閉められた状態においてユーザによる所定の操作により前記係合を解除する構成を備える
請求項１乃至３のいずれかに記載の傘の柄。
【請求項５】
前記柄の外面のいずれかの場所に、前記紐が引き出された状態で、前記紐を留める紐留め具が設けられている
請求項１乃至４のいずれかに記載の傘の柄。
【請求項６】
請求項１乃至５のいずれかに記載の傘の柄と、
傘袋と
を備える傘。
【発明の詳細な説明】
【技術分野】
【０００１】
この発明は、傘の柄および当該柄を備える傘に関する。
【背景技術】
【０００２】
従来、傘袋を収納できる傘の柄もしくは当該柄を備える傘が複数開示されている。
【０００３】
それらの中で、特許文献１乃至４に示されるものは、傘袋を柄等に連結することなく当該柄の内部に収納できる構成を有している。
【０００４】
また、特許文献５乃至７に示されるものは、傘袋を柄の内部のいずれかの場所に連結した構成を有している。
【先行技術文献】
【特許文献】
【０００５】
【特許文献１】特開平８−１９１７０３号公報
【特許文献２】実開平６−５２５２５号公報
【特許文献３】実開平５−９１４１７号公報
【特許文献４】実開昭６１−５２９１４号公報
【特許文献５】実開平４−６９１４号公報
【特許文献６】実開平２−１３０２２１号公報
【特許文献７】実開昭６４−１５５２７号公報
【発明の概要】
【発明が解決しようとする課題】
【０００６】
しかし、特許文献１乃至４に示されるものは、傘袋が柄等に連結されていないために、当該傘袋を傘から取り外した状態において、どこかに紛失してしまう可能性がある。
【０００７】
また、特許文献５乃至７に示されるものは、傘袋が柄の内部のいずれかの場所に連結されているので、当該傘袋で傘の一部を覆う際には、当該傘袋を当該柄の部分から引き上げるようにして傘の一部を覆わなければならず、使い勝手が悪いという問題がある。
【０００８】
そこで、本発明は、傘袋の紛失を防止し、かつ使い勝手の良い傘の柄および当該柄を備える傘を提供することを目的とする。
【課題を解決するための手段】
【０００９】
本発明は、上記の目的に鑑みて想到されたものであり、
中空の柄と、
前記柄の内部に配置される紐巻取り部と、
前記紐巻取り部に一端が取り付けられており、前記紐巻取り部によって巻き取られ、かつ前記紐巻取り部から引き出されることが可能な紐であって、
前記紐巻取り部に取り付けられる側とは異なる側の一端が傘袋に取り付けられる紐と
を備え、
前記柄は、前記柄の内部に傘袋を出し入れするための開閉可能な蓋を有する
傘袋収納ケース付きの傘の柄
を提供する（第１の実施態様）。
【００１０】
また、上記の第１の実施態様において、
前記紐巻き取り部は、前記紐に対し巻き取る向きに常に付勢している
構成を採用してもよい（第２の実施態様）。
【００１１】
また、上記の第１の実施態様において、
前記紐巻き取り部は、前記紐が引き出されている状態においてユーザによる所定の操作をトリガとして前記紐に対し巻き取る向きに付勢を開始する
構成を採用してもよい（第３の実施態様）。
【００１２】
また、上記の第１乃至３のいずれかの実施態様において、
前記蓋は、開く向きに常に付勢されており、
前記蓋は、閉められた状態において前記蓋の一部と前記柄の本体の一部との係合により前記柄の本体に固定され、
前記蓋が閉められた状態においてユーザによる所定の操作により前記係合を解除する構成を備える
構成を採用してもよい（第４の実施態様）。
【００１３】
また、上記の第１乃至４のいずれかの実施態様において、
前記柄の外面のいずれかの場所に、前記紐が引き出された状態で、前記紐を留める紐留め具が設けられている
構成を採用してもよい（第５の実施態様）。
【００１４】
また、本発明は、
上記の第１乃至５のいずれかの実施態様にかかる傘の柄と、
傘袋と
を備える傘
を提供する（第６の実施態様）。
【発明の効果】
【００１５】
本発明の第１の実施態様にかかる傘の柄によれば、ユーザは、傘を使用する際に、傘袋を紛失するようなことがないと同時に、傘に対する傘袋の着脱において特段の不便を伴わない。
【００１６】
また、本発明の第２の実施態様にかかる傘の柄によれば、傘袋に連結された紐が巻き取られる向きに常に付勢されているので、例えば傘袋の着脱のために引き出した紐を放すと自動的に引き出されている紐が巻き取られるため、紐が邪魔にならずに便利である。
【００１７】
本発明の第３の実施態様にかかる傘の柄によれば、上述の紐はユーザの所定の操作をトリガとして巻き取られる向きへ付勢が開始されるので、ユーザは例えば傘袋の着脱を終え、引き出されている紐が邪魔となった時には所定の操作を行うことにより、邪魔な紐を自動的に巻き取らせることができ、便利である。
【００１８】
また、本発明の第４の実施態様にかかる傘の柄によれば、ユーザは、所定の操作によって上述の蓋を閉められた状態から開いた状態へただちに移行させることが可能であり、好適な使い心地を得ることができる。
【００１９】
また、本発明の第５の実施態様にかかる傘の柄によれば、上述の紐が紐巻取り部に巻き取られる向きに付勢されることを一時的に妨げることができるので、傘袋を傘に着脱する際に紐が突っ張らずに便利である。
【００２０】
また、本発明の第６の実施態様にかかる傘によれば、上記第１乃至５の実施態様にかかる傘の柄について上述したものと同様の効果を得ることができる。
【図面の簡単な説明】
【００２１】
【図１】図１は、本発明の実施形態にかかる傘の概略図である。
【図２】図２は、本発明の実施形態にかかる傘の柄の断面図である。
【図３】図３は、本発明の実施形態の変形例にかかる傘の概略図である。
【図４】図２は、本発明の実施形態の変形例にかかる傘の柄の断面図である。
【発明を実施するための形態】
【００２２】
（実施形態）
以下、本発明の一具体例である実施形態を、図面を用いて説明する。図１は、本実施形態にかかる傘１の概略図である。
【００２３】
傘１は、中空の柄１１と、柄１１の内部に配置される紐巻取り部１２と、紐巻取り部１２によって巻き取られかつ紐巻取り部１２から引き出されることが可能な紐１３と、紐１３の紐巻取り部１２に取り付けられる側とは異なる側の一端に設けられる取り付け具１４と、傘袋１５と、傘のフレーム部１６と、フレーム部１６に装着される傘の雨受け部１７とを備える。
【００２４】
柄１１は、例えば、軸方向に長い円柱状の形状を有し、ユーザが傘１の使用時に手で握り易いサイズを有している。
【００２５】
柄１１は、例えば、合成樹脂製である。また、柄１１は、内部に傘袋１５を収納することが可能な空洞を有しており、上述の円柱の側面に傘袋を出し入れするための開閉可能な蓋１１１を有している。この空洞の大きさに対し、空洞が外部と通じる開口部の大きさは、例えば図１における縦方向の長さおよび横方向の長さが短く、一度空洞に収納された傘袋１５は、蓋１１１が開かれても柄１１の開口部周りの縁部にひっかかり、すぐさま外に飛び出るということのないようになっている。
【００２６】
蓋１１１は、柄１１における上述の円柱の側面の一部を構成する略長方形状の板を湾曲させたような３次元形状の部材である。
【００２７】
図２は、柄１１を上述の円柱の中心軸を含み蓋１１１の中心付近を通る平面で切った断面図である。
【００２８】
蓋１１１は、柄１１の長手方向に平行な所定の部分を支柱（回転軸）として、開いた状態と閉められた状態との間を互いに移行することが可能であり、例えばバネにより開く向きに常に付勢されており、閉められた状態において蓋１１１の一部と柄１１の本体の一部との係合により柄１１の本体に固定される。
【００２９】
具体的には、例えば、蓋１１１における柄１１の長手方向のフレーム部１６が取り付けられる側の側面を構成する一辺と、柄１１における当該一辺に対向する部分とが係合する構成となっている。柄１１の当該対向する部分側の側面にはボタン１８が設けられており、ユーザによりボタン１８が押し下げられると、上記の柄１１本体と蓋１１１との係合がワンタッチで解除される構成となっている。
【００３０】
なお、蓋１１１の裏側には、例えば、透明なビニール製のポケットが設けられており、当該ポケットに紙製等の名札を入れることができるようになっている。これにより、傘１が誰のものであるかを、容易に特定することができる。
【００３１】
また、柄１１の外側面における蓋１１１から見てフレーム部１６が取り付けられる側のいずれかの位置には、紐１３が引き出された状態で、紐１３を留める紐留め具１９が設けられている。
【００３２】
紐留め具１９は、例えば金属製であり、後述するように、傘袋１５をフレーム部１６および雨受け部１７に対し着脱する際に使用される長方形板状の形状を有する部材である。
【００３３】
具体的には、傘袋１５に連結された紐１３を傘袋１５の着脱に必要な長さだけ引き出して、紐１３の紐巻取り部１２側の根元付近を紐留め具１９と紐留め具１９に対向する位置にある柄１１の外側面の一部とに挟み込んで留める。そうすることによって、傘袋１５をフレーム部１６および雨受け部１７に被せたり、フレーム部１６および雨受け部１７に被せられている傘袋１５を取り外したりする間に、後述するように、紐１３が紐巻取り部１２によって巻き取られる向きに付勢されて突っ張り不便であるという問題を解消することができる。
【００３４】
紐巻取り部１２は、円盤状の形状を有し、その内部にはゼンマイバネが巻かれており、全体として紐１３を巻き取るリール機構を構成している。そして、紐巻取り部１２は、当該リール機構により、紐１３に対し巻き取る向きに常に付勢している。なお、紐巻取り部１２が備えるゼンマイバネの巻き取り強度は、引き出した紐１３を放した際に巻き取られる紐１３により手指等を弾いて怪我を招かない程度に強すぎず、紐１３を巻き取るのに十分な適度な強さとなるよう調整されている。
【００３５】
また、紐巻取り部１２は、例えば、ゼンマイバネを除く部分が合成樹脂製であり、ゼンマイバネがアルミ合金製である。
【００３６】
蓋１１１は、後述するように、蓋１１１を閉めた状態で紐１３を柄１１の外部に引き出す場合があることから、紐１３を引き出すための紐出し用切り欠き孔を有している。具体的には、蓋１１１は、柄１１のフレーム部１６が取り付けられる側の側面を構成する一辺の中心付近に、例えば直径２ミリメートルの半円状の上述の紐出し用切り欠き孔を有している。
【００３７】
また、紐巻取り部１２は、柄１１の内部において柄１１の長手方向のフレーム部１６が取り付けられる側の位置に配置されている。この際、紐１３を紐巻取り部１２から引き出したり紐巻取り部１２で巻き取ったりすることを容易にするために、紐巻取り部１２は、柄１１の長手方向に垂直な平面に対して、蓋１１１が設けられていない側から蓋１１１が設けられている側へと向かって、柄１１の長手方向のフレーム部１６が取り付けられる側からフレーム部１６が取り付けられない側へと傾くように配置されている。
【００３８】
紐１３は、上述したように、紐巻取り部１２により巻き取られる向きに常に付勢されている。また、紐１３は、強い紐であればいずれの素材のものであってもよいが、例えばナイロン製である。また、紐１３は、長手方向に垂直な断面が、例えば、直径０．５ミリメートルの円形状を有している。
【００３９】
取り付け具１４は、例えば、フック状の形状を有する金具であり、上述のように紐１３の一端に設けられている。
【００４０】
取り付け具１４が、傘袋１５のいずれかの場所に取り付けられることにより、紐１３が傘袋１５に連結され、結果として、傘袋１５を紛失する可能性を著しく減らすことができる。
【００４１】
なお、柄１１の内部の、例えば、蓋１１１の近傍の側面には、取り付け具１４を保持することが可能な例えばキノコ形状の突起である取り付け具保持部２０（図１においては、実際には外部から見えない裏側に配置されているため、破線により記載されている）が設けられており、傘袋１５を取り付け具１４から外して使用する場合には、取り付け具１４を取り付け具保持部２０に引っ掛けることにより、蓋１１１を閉める際に取り付け具１４が邪魔になるという問題を解消することができる。
【００４２】
傘袋１５は、例えば、ナイロン製の一般的な傘袋である。すなわち、折り畳んだ、もしくは閉じた状態の傘１のサイズに対応した中空の略円柱状の形状を有し、一端に傘１の一部を挿入する開口部を有している。
【００４３】
また、傘袋１５は、取り付け具１４を取り付けることが可能な、例えば、ループ状の形状を有する引っ掛け部を有している。
【００４４】
なお、傘袋１５は、その外側面に面ファスナーを備えてもよい。面ファスナーを有していれば、後述するように折り畳んだ傘袋１５を留めることができ便利だからである。
【００４５】
フレーム部１６は、例えば、金属製の一般的なフレームである。いわゆる折り畳み式であっても、折り畳まずに閉じる形式のものであってもよい。
【００４６】
また、フレーム部１６は、柄１１に取り付けられる側の一端が雄螺子を有しており、当該雄螺子が柄１１に設けられている雌螺子と係合することにより、柄１１と連結される。
【００４７】
雨受け部１７は、例えば、フレーム部１６の上に張り巡らされるナイロン製の覆いであり、一般的なものである。
【００４８】
以上のような構成を有する傘１の使用方法の一例を、以下に説明する。
【００４９】
傘１は、傘袋１５がフレーム部１６および雨受け部１７を覆った状態で、保管されている、もしくは携帯されて持ち運ばれている。
【００５０】
紐１３は、上述したように、一端が紐巻取り部１２に取り付けられており、この状態では、紐巻取り部１２から延伸して上述の紐出し用切り欠き孔を通り抜け、当該一端とは異なる他端が取り付け金具１４を介して傘袋１５に連結している。
【００５１】
ユーザは、雨が降ってきて傘１を用いるには、フレーム部１６および雨受け部１７から傘袋１５を抜き去って傘１を開かなければならない。この際、ユーザはまず、傘袋１５を取り外すのに十分な長さだけ紐１３を引き出して、紐１３の紐巻取り部１２側の根元付近を紐留め具１９により留めた後、紐１３がたるんだ状態で傘袋１５をフレーム部１６および雨受け部１７から抜き去る。このように紐留め具１９により引き出した紐１３を留めて傘袋１５を取り外すと、紐１３が突っ張らずに便利である。続いて、ユーザが紐１３を紐留め具１９から外すと、引き出されていた紐１３は紐巻取り部１２の紐１３に対する付勢により自動的に巻き取られる。
【００５２】
この後、ユーザは、傘袋１５を折り畳み、蓋１１１を上述のようにボタン１８をワンタッチすることにより開いて、柄１１の内部に仕舞い込み、再び蓋１１１を閉める。そうすれば、ユーザは、傘袋１５を紛失するようなことがなく、また傘１の使用時に傘袋１５が邪魔にならない。
【００５３】
あるいは、ユーザは、近所に行くような場合、傘袋１５が連結している紐１３は紐巻取り部１２に巻き取らせるが、傘袋１５を柄１１の内部に仕舞い込むことなく蓋１１１を閉じた状態で傘１を使用してもよい。すなわち、傘袋１５は、柄１１の外部において紐１３を介して柄１１からぶら下がっているような状態となる。これならば、ユーザは、わざわざ蓋１１１を開いて傘袋１５を柄１１の内部に仕舞い込む手間を省くことができる。この場合も、傘袋１５には紐１３が連結されているので、ユーザは傘袋１５を紛失するようなことがない。
【００５４】
傘１の使用を終えて、フレーム部１６および雨受け部１７に傘袋１５を被せる際には、ユーザは先ず、蓋１１１を上述のようにボタン１８をワンタッチすることにより開いて、柄１１の内部から傘袋１５を取り出し、傘袋１５を引っ張って紐１３を適当な長さだけ引き出す。
【００５５】
そして、上述した傘袋１５を取り外す場合と同様に、紐１３の紐巻取り部１２側の根元付近を紐留め具１９で留める。そうすると、紐１３が紐巻取り部１２に巻き取られる向きに付勢されることを妨げることができるので、紐１３が突っ張らずに、ユーザは、容易に傘袋１５をフレーム部１６および雨受け部１７に被せることができる。
【００５６】
なお、紐１３の機能は不要と感じるユーザのために、傘１の取り付け具１４は傘袋１５から容易に取り外し可能となっている。そのようなユーザは、傘袋１５から取り付け具１４を取り外して、傘１を使用すればよい。この場合は、紐１３は、紐巻取り部１２に巻き取られた状態になっているので、紐１３が邪魔だというユーザにとっても不便を感じさせることはない。この場合は、上述したように、取り付け具１４を柄１１の内部に設けられている取り付け具保持部２０に引っ掛けておけば、蓋１１１の開閉時に取り付け具１４が邪魔になるようなことがない。
【００５７】
上述した実施形態は、本発明の技術的思想の範囲内で様々に変形が可能である。
【００５８】
例えば、柄１１は、例えば、軸方向に長い円柱状の形状を有するものとしたが、軸方向が短い円柱状の形状や四角柱状の形状等、他の形状を有していてもよい。
【００５９】
また、柄１１は、例えば、合成樹脂製であるとしたが、木製もしくは金属製等であってもよい。
【００６０】
また、蓋１１１における柄１１の長手方向のフレーム部１６が取り付けられる側の側面を構成する一辺と、柄１１における当該一辺に対向する部分とが係合し、当該対向する部分側に設けられたボタン１８により、ワンタッチで当該係合を解除することができるものとしたが、当該係合はボタン１８以外のいかなる方法によって解除されてもよい。
【００６１】
また、柄１１の外面における蓋１１１から見てフレーム部１６が取り付けられる側のいずれかの位置には、紐１３が引き出された状態で、紐１３を留める長方形板状の形状を有する金属製の紐留め具１９が設けられているものとしたが、これは本発明を限定するものではない。
【００６２】
したがって、紐留め具１９は、いずれの位置にどのような素材や構成で設けられていてもよいし、特に問題がなければ、設けられなくてもよい。
【００６３】
また、蓋１１１は、バネにより開く向きに常に付勢されているものとしたが、バネ以外の方法によって開く向きに付勢されていてもよい。もしくは、特に問題がなければ、バネ等は設けられなくてもよい。
【００６４】
また、蓋１１１は、バネ等により閉まる向きに付勢されていてもよい。この場合、ユーザは、傘袋１５を収納する際に、手で蓋１１１を開き傘袋１５を柄１１の内部に入れて、手を離せば自動的に蓋１１１が閉まることになる。したがって、この場合は、蓋１１１の開閉のためのボタン等は不要である。なお、ユーザが手で蓋１１１を開く際に、蓋１１１の一部に指をかけるための突起が設けられていれば便利である。
【００６５】
また、蓋１１１は、柄１１における上述の円柱の側面の一部を構成する略長方形状の板を湾曲させたような３次元形状の部材であるとしたが、これは本発明を限定するものではない。したがって、蓋１１１は、柄１１の長手方向におけるフレーム部１６が取り付けられない側の端面等に設けられてもよく、またいかなる形状を有していてもよい。
【００６６】
また、蓋１１１は、柄１１のフレーム部１６が取り付けられる側の側面を構成する一辺の中心付近に、直径２ミリメートルの半円状の上述の紐出し用切り欠き孔を有しているものとしたが、これは本発明を限定するものではない。したがって、当該切り欠き孔の代わりに蓋１１１と柄１１における蓋１１１に対向する部分との間にスリット状の隙間が設けられてもよいし、当該切り欠き孔が蓋１１１ではなく柄１１の本体側に設けられる等してもよい。
【００６７】
また、蓋１１１の裏側には、透明なビニール製のポケットが設けられており、当該ポケットに紙製等の名札を入れることができるようになっているものとしたが、当該ポケットの代わりに合成樹脂製のスリットが設けられ、当該スリットに湾曲した３次元形状の部材である名札を挿入するような構成等を採用してもよい。
【００６８】
また、紐巻取り部１２は、円盤状の形状を有し、その内部にはゼンマイバネが巻かれており、全体として紐１３を巻き取るリール機構を構成するものとしたが、紐１３を巻き取ることができる機構を構成すればいかなるものであってもよい。したがって、紐巻取り部１２は、電子式の上述のリール機構を備えていてもよい。
【００６９】
また、紐巻取り部１２は、例えば、ゼンマイバネを除く部分が合成樹脂製であり、ゼンマイバネがアルミ合金製であるとしたが、これは本発明を限定するものではない。
【００７０】
また、紐巻取り部１２は、紐１３に対し巻き取る向きに常に付勢しているものとしたが、これは本発明を限定するものではない。したがって、例えば、紐巻取り部１２には、ストッパー付き自動巻き取り式のメジャーに広く採用されているような機構が設けられ、ユーザが紐１３を引き出すと引き出された紐１３の長さが自動的に固定され、ユーザがボタンを押すと紐１３に対し巻き取る向きに付勢が生じ、紐１３が紐巻取り部１２に巻き取られる構成を採用してもよい。この場合、当該ボタンを押す以外の所定の操作をトリガとする構成が採用されてもよい。
【００７１】
なお、上記のユーザによる所定の操作をトリガとして紐巻取り部１２が紐１３に対し巻き取る向きに付勢を生じる構成を採用する場合には、紐留め具１９は不要となる。
【００７２】
また、紐１３は、長手方向に垂直な断面が、例えば、直径０．５ミリメートルの円形状を有しているものとしたが、これは本発明を限定するものではない。
【００７３】
なお、柄１１の内部の、例えば、側面には、取り付け具１４を保持することが可能なキノコ形状の取り付け具保持部２０が設けられているものとしたが、これは本発明を限定するものではない。したがって、取り付け具保持部２０は、いかなる場所にどのような構造で設けられてもよいし、もしくは設けられなくてもよい。
【００７４】
また、傘袋１５は、取り付け具１４を取り付けることが可能な、例えば、ループ状の形状を有する引っ掛け部を有しているものとしたが、これは本発明を限定するものではない。したがって、当該引っ掛け部はいかなる構成を有していてもよい。
【００７５】
また、取り付け具１４は、フック状の形状を有する金具であるとしたが、傘袋１５に着脱可能な構成を有していれば、いかなるものであってもよい。例えば、取り付け具１４として金属製や合成樹脂製等のクリップを採用してもよい。その場合、傘袋１５に引っ掛け部が設けられていなくても、傘袋１５の端部をクリップの取り付け具１４で挟むことにより傘袋１５に対する紐１３の取り付けが可能となる。
【００７６】
さらに、傘袋１５の端部に紐１３が直接、縫いつけられる等により固着されていてもよい。その場合、傘袋１５を紐１３から取り外すことはできないが、常に傘袋１５を紐１３に取り付けた状態で用いるユーザにとってはその方が望ましい。その場合、取り付け具１４および取り付け具保持部２０は不要となる。
【００７７】
また、紐１３は、例えばナイロン製であるとしたが、ナイロン以外の素材によって作られていてもよい。
【００７８】
また、取り付け具１４は、例えば金属製であるとしたが、合成樹脂等の金属以外の素材によって作られていてもよい。
【００７９】
また、傘袋１５は、例えば、ナイロン製であるとしたが、ナイロン以外の素材によって作られていてもよい。
【００８０】
また、傘のフレーム部１６は、例えば、金属製であるとしたが、合成樹脂等の金属以外の素材によって作られていてもよい。
【００８１】
また、傘の雨受け部１７は、ナイロン製であるとしたが、ナイロン以外の素材によって作られていてもよい。
【００８２】
また、柄１１とフレーム部１６は柄１１に設けられた雌螺子とフレーム部１６に設けられた雄螺子との係合により連結されるものとしたが、それらの連結の方法はこれに限られず、例えば柄１１に雄螺子、フレーム部１６に雌螺子が設けられてそれらの係合により連結されてもよいし、他の係合方法により連結されてもよい。さらに、着脱不可能に柄１１とフレーム部１６が固着されていてもよい。
【００８３】
なお、傘１は雨傘であるものとして説明したが、傘１の用途は雨よけに限られず、例えば傘１が日傘として用いられる傘であってもよい。
【００８４】
図３および図４は、図１および図２を用いて上述した実施形態にかかる傘１に対し、主として傘袋１５を柄１１によりスムーズに収納可能とするための改良を加えた一変形例にかかる傘２を示した図である。以下にこの変形例にかかる傘２が上述した実施形態にかかる傘１と異なる点を中心に説明する。なお、図３および図４において、傘２が備える構成要素のうち傘１が備える構成要素と同じものには同じ符号が付されている。
【００８５】
まず、傘２は、傘１の紐留め具１９に代えて、紐留め具２９を備えている。紐留め具２９は、柄２１の外側面に設けられた半円形の凹み部の中に図３における水平方向に突出する突起部として構成されている。ユーザは、紐１３を留めたい場合、紐留め具２９の下をくぐらすように紐１３を凹み部に入れ、図３における右方向に紐１３を引っ張る。それにより、紐１３が紐留め具２９（突起部）と凹み部の外面との間に挟まり留まる。ユーザは紐１３を紐留め具２９から外したい場合、図３における左方向に紐１３を引っ張ればよい。
【００８６】
紐留め具２９の外側面は柄２１の外側面と同一の湾曲した面を構成し、傘１の紐留め具１９のように柄１１の外側面から突出していない。さらに、凹み部および突起部の角は丸められている。そのため、ユーザの手指や衣服等が紐留め具２９にひっかける危険性がなく、望ましい。
【００８７】
次に、傘２は、傘１の柄１１に代えて、柄２１を備えている。柄２１の中空部は、紐１３が紐巻き取り部１２から出ている部分に向かい浅いＶ字を描く形状を備えている。そして、そのＶ字の中央部分（谷部）には紐巻き取り部１２から伸びている紐１３が通過するための切り込み溝が設けられている。なお、切り込み溝とＶ字の縁とが連続している部分は、紐１３をスムーズに切り込み溝に誘導するように角の丸め処理が施されている。また、Ｖ字の縁には、図３における上方に引っ張られる紐１３が引っかからないように、断面における角の丸め処理が施されている。
【００８８】
柄２１が上記のような構造を備えているため、紐巻き取り部１２から引き出され、紐巻き取り部１２に巻き取られる紐１３は、例えばユーザが傘袋１５を折りたたむ際に切り込み溝から外れたような場合であっても、その後、紐１３の移動に伴いスムーズに切り込み溝に誘導され、その位置で安定する。
【００８９】
傘２の蓋２１１の形状は、図３に示すように、柄２１の円筒形状に沿うように湾曲した長方形状であってもよいし、中空部の開口部の形状に応じた形状であってもよい。
【００９０】
さらに、傘２の取り付け具１４の根元部、すなわち紐１３が取り付け具１４に取り付けられている部分には、球形のストッパー２２が取り付けられている。なお、ストッパー２２には紐１３が貫通する孔が設けられており、その孔を貫通した紐１３の先端に取り付け具１４が取り付けられている。ただし、ストッパー２２は紐１３の先端部から移動することなく、そこに固定されている。
【００９１】
ストッパー２２は、紐１３が紐巻き取り部１２に巻き取られ、取り付け具１４（および取り付け具１４に取り付けられた傘袋１５）が柄２１の内部に収容された時に、取り付け具１４の先端が中空部の中央に向かうようにするために設けられている。以下、その仕組みを説明する。
【００９２】
紐１３は、その先端が柄２１の外部に引き出される場合、図４（ａ）に示されるように、紐巻き取り部１２における紐１３の出口から柄２１の中空部に通じるように設けられた通路を通り、蓋２１１と柄２１の本体の開口部の縁との隙間を通って外部に出る。
【００９３】
一方、紐１３は、その先端が柄２１の内部に収納される場合、図４（ｂ）に示されるように、紐巻き取り部１２と柄２１の中空部との間に設けられた通路の中空部側の出口に設けられた半球形状の凹みに、球状のストッパー２２が嵌り込み、そこで安定する。
【００９４】
ストッパー２２が中空部内の半球形状の凹みに嵌り込む際、紐１３が紐巻き取り部１２により図４における右上方向に引っ張られるため、自然と取り付け具１４の先端が図４における左下方向を向くようになる。
【００９５】
このように、傘２においては、ストッパー２２と、柄２１に設けられた紐１３の通路および中空部の形状により、紐１３が紐巻き取り部１２に巻き取られる際に取り付け具１４の先端が中空部の中央方向を向くため、蓋２１１を閉める際に取り付け具１４が邪魔になるといった問題が生じない。従って、傘２においては傘１が備える取り付け具保持部２０は不要となり、ユーザが取り付け具１４を取り付け具保持部２０に引っ掛ける、という作業を行う必要もないため便利である。
【産業上の利用可能性】
【００９６】
本発明にかかる傘の柄および当該傘の柄を備える傘は、傘袋の紛失を防止したいと思う全てのユーザにとって有用であるため、傘の利便性を高めその販売促進に広く寄与することが期待される。
【符号の説明】
【００９７】
１…傘、１１…柄、１１１…蓋、１２…紐巻取り部、１３…紐、１４…取り付け具、１５…傘袋、１６…フレーム部、１７…雨受け部、１８…ボタン、１９…紐留め具、２０…取り付け具保持部、２１…柄、２１１…蓋、２２…ストッパー、２９…紐留め具
【図１】
2011115348.tif 000003
【図２】
2011115348.tif 000004
【図３】
2011115348.tif 000005
【図４】
2011115348.tif 000006